(57)【要約】【課題】【解決手段】熱及び圧力によって最終的な面への転写のための画像を有する転写シートを製造する方法であって、この方法は、転写シートを供給し、例えば液体トナー画像などの画像を形成し、そして、熱と圧力とを用いて前記転写シートへ画像を転写することを有する。【特許請求の範囲】
【請求項１】
熱と圧力とによって最終基面への転写のための画像を有する転写シートを製造する方法であって、
転写シートを供給し、
画像を形成し、そして、
熱と圧力とを用いて前記転写シートへ画像を転写すること
を具備する方法。
【請求項２】
熱と圧力とによって最終基面への転写のための画像を有する転写シートを製造する方法であって、
転写シートを供給し、
液体トナー画像を形成し、そして、
前記転写シートに前記画像を転写すること
を具備する方法。
【請求項３】
前記画像を転写することは、
熱と圧力とを用いて前記転写シートに画像を転写すること
を有する請求項２に記載の方法。
【請求項４】
前記画像を形成することは、
静電気的工程を用いて画像を形成することを有する請求項１ないし３のいずれか１に記載の方法。
【請求項５】
前記画像を形成することは、
マルチカラー画像を形成することを有する請求項１ないし４のいずれか１に記載の方法。
【請求項６】
前記マルチカラー画像を形成することは、
連続したカラーセパレーションを形成し、
中間の転写部材に順次このセパレーションを転写すること
を有する請求項５に記載の方法。
【請求項７】
前記転写シートへ画像を転写することは、
前記中間の転写部材から前記転写シートへ、一まとめとしてセパレーションを転写することを有する請求項６に記載の方法。
【請求項８】
前記転写シートへ画像を転写することは、
前記中間の転写部材から前記転写シートへ、順次セパレーションを転写することを有する請求項６に記載の方法。
【請求項９】
前記転写シートは、
基板と、
特に熱のもとで、この基板に対する比較的弱い親和性を有する基板の下層と、
この下層に対する強い親和性を有する上層と
を有する請求項１ないし９のいずれか１に記載の方法。
【請求項１０】
前記シートへの画像の転写中、前記下層は、画像が転写される面に対して上層が有する親和性より高い前記基板に対する親和性を有する請求項９に記載の方法。
【請求項１１】
前記上層は、アミンを末端基とするポリアミドを有する請求項９もしくは１０に記載の方法。
【請求項１２】
前記上層は、二酸化ケイ素を有する請求項１１に記載の方法。
【請求項１３】
前記二酸化ケイ素は、約３％より重い重量に相当する量で提供される請求項１２に記載の方法。
【請求項１４】
前記二酸化ケイ素は、約２ないし１０％の間の重量で提供される請求項１２に記載の方法。
【請求項１５】
前記二酸化ケイ素は、５％より重い重量で提供される請求項１２ないし１４のいずれか１に記載の方法。
【請求項１６】
前記二酸化ケイ素は、約１０％の重量で提供される請求項１５に記載の方法。
【請求項１７】
前記上層は、ポリエチレンイミンを有する請求項９もしくは１０に記載の方法。
【請求項１８】
前記上層は、約１０ｍｇ／ｍ２以上の単位面積あたりの重さを有する請求項９ないし１７のいずれか１に記載の方法。
【請求項１９】
前記上層は、約３０００ｍｇ／ｍ２以下の単位面積あたりの重さを有する請求項９ないし１８のいずれか１に記載の方法。
【請求項２０】
前記上層は、約２０ないし３００ｍｇ／ｍ２の間の単位面積あたりの重さを有する請求項９ないし１９のいずれか１に記載の方法。
【請求項２１】
前記下層は、線状のポリビニルピリジンを有する請求項９ないし２０のいずれか１に記載の方法。
【請求項２２】
前記ポリビニルピリジンは、約４０，０００と２００，０００との間の分子量を有する請求項２１に記載の方法。
【請求項２３】
前記下層は、ビニルピリジンとスチレンとの共重合体を有する請求項９ないし２０のいずれか１に記載の方法。
【請求項２４】
前記ビニルピリジンとスチレンとの共重合体は、６０，０００と１００，０００との間の分子量を有する請求項２３に記載の方法。
【請求項２５】
前記下層は、１０，０００と５００，０００との間の分子量を有する請求項２０ないし２３のいずれか１に記載の方法。
【請求項２６】
前記下層は、ポリエチレンメタクリル酸の共重合体を有する請求項９ないし２０のいずれか１に記載の方法。
【請求項２７】
前記下層は、２％と１０％との間の二酸化ケイ素を有する請求項２６に記載の方法。
【請求項２８】
前記下層は、約１００ｍｇ／ｍ２以上の単位面積あたりの重さを有する請求項９ないし２７のいずれか１に記載の方法。
【請求項２９】
前記下層は、約３０００ｍｇ／ｍ２以下の単位面積あたりの重さを有する請求項９ないし２８のいずれか１に記載の方法。
【請求項３０】
前記下層は、約３００ｍｇ／ｍ２と６００ｍｇ／ｍ２との間の重さを有する請求項９ないし２９のいずれか１に記載の方法。
【請求項３１】
プラスチック材料からなるシートと、
ポリビニルピリジン、ビニルピリジンの共重合体、並びにスチレンとポリエチレンメタクリル酸の共重合体からなるグループから選択されたポリマーを備えた下層を有する前記シートのコーティングと、
上層と
を具備する熱転写シート。
【請求項３２】
プラスチック材料からなるシートと、
下層と、アミンを末端基とするポリアミド及びポリエチレンイミンからなるグループから選択されるポリマーを備えた上層とを有する前記シートのコーティングと
を具備する熱転写シート。
【請求項３３】
前記下層は、ポリビニルピリジン、ビニルピリジンの共重合体、並びにスチレンとポリエチレンメタクリル酸の共重合体からなるグループから選択されたポリマーを有する請求項３２に記載のシート。
【請求項３４】
前記上層は、アミンを末端基とするポリアミドを有する請求項３１ないし３３のいずれか１に記載のシート。
【請求項３５】
前記上層は、二酸化ケイ素を有する請求項３４に記載のシート。
【請求項３６】
前記二酸化ケイ素は、約２％以上の重量で提供される請求項３５に記載のシート。
【請求項３７】
前記二酸化ケイ素は、約１０％以上の重量で提供される請求項３５もしくは３６に記載の方法。
【請求項３８】
前記上層は、ポリエチレンイミンを有する請求項３１もしくは３３に記載のシート。
【請求項３９】
前記上層は、約１０ｍｇ／ｍ２以上の単位面積あたりの重さを有する請求項３１ないし３８のいずれか１に記載のシート。
【請求項４０】
前記上層は、約３０００ｍｇ／ｍ２以下の単位面積あたりの重さを有する請求項３１ないし３８のいずれか１に記載のシート。
【請求項４１】
前記上層は、約２０ないし３００ｍｇ／ｍ２の間の単位面積あたりの重さを有する請求項３１ないし４０のいずれか１に記載のシート。
【請求項４２】
前記下層は、線状のポリビニルピリジンを有する請求項３１ないし４１のいずれか１に記載のシート。
【請求項４３】
前記ポリビニルピリジンは、約４０，０００と２００，０００との間の分子量を有する請求項４２に記載のシート。
【請求項４４】
前記下層は、ビニルピリジンとスチレンとの共重合体を有する請求項３１ないし４１のいずれか１に記載のシート。
【請求項４５】
前記ビニルピリジンとスチレンとの共重合体は、６０，０００と１００，０００との間の分子量を有する請求項２３に記載のシート。
【請求項４６】
前記下層は、１０，０００と５００，０００との間の分子量を有する請求項４４もしくは４５に記載のシート。
【請求項４７】
前記下層は、ポリエチレンメタクリル酸の共重合体を有する請求項３１ないし４１のいずれか１に記載のシート。
【請求項４８】
前記下層は、約２％と１０％との間の二酸化ケイ素を有する請求項４７に記載のシート。
【請求項４９】
前記下層は、約１００ｍｇ／ｍ２以上の単位面積あたりの重さを有する請求項３１ないし４８のいずれか１に記載のシート。
【請求項５０】
前記下層は、約３０００ｍｇ／ｍ２以下の単位面積あたりの重さを有する請求項３１ないし４９のいずれか１に記載のシート。
【請求項５１】
前記下層は、約３００ｍｇ／ｍ２と６００ｍｇ／ｍ２との間の重さを有する請求項３１ないし５０のいずれか１に記載のシート。
【請求項５２】
前記上層に形成された画像をさらに具備する請求項３１ないし５１のいずれか１に記載のシート。
【請求項５３】
前記画像は、トナー画像である請求項５２に記載のシート。
【請求項５４】
前記画像は、液体トナー画像である請求項５３に記載のシート。
【発明の詳細な説明】
【０００１】
【発明の属する技術分野】
本発明は、熱転写シートにプリントすることに関し、特に、トナーによってプリントするためのシートの製造に関する。
【０００２】
【従来の技術】
プラスチックの転写シート、もしくはコーティング紙の転写シートの使用は、よく知られている。画像は、最初にこのようなシートにプリントされ、次に、一般的には熱／圧力転写工程を経て、前記画像が最終基面に転写される。これら最終基面は、シャツ、カップ、並びに他の物品であってよい。前記画像は、この画像に損傷を与えることなく前記シートが保管されたり、処理されたりし得るように、前記転写シートに固定される。しばしば、前記シートは、最初、中間層でコーティングされ、インクは、前記シートへの良好なプリントが行われるように、前記中間層に吸着する。一般的に、前記転写シートに対する中間層の接着は、前記最終基面へ転写中、前記インクが、下層と共に、前記最終基面に転写されるのに十分な程度、わざと弱くされている。代わって、前記インクと前記下層との間の接着は、インクが下層から離れるように十分に弱く、下層は、最終基面に分離的に転写する。
【０００３】
この工程は、中間の転写部材も用いられるオフセット印刷とは区別される。オフセット印刷の工程では、インクは、中間部材には固定されない。標準的なインクのオフセット印刷において、前記中間部材のインク層は、前記部材上の約半分のインクが画像を形成するために前記基板に転写するように、基板への転写中に分離する。トナーのオフセット印刷工程において、中間部材上の画像は、通常の熱及び圧力によって、ほぼ完全に基板に転写される。代わって、もしくは追加的に、所定のシステムにおいては、トナー画像の転写を補助、もしくは影響するように、電界が用いられている。
【０００４】
【発明が解決しようとする課題】
転写シート上でのオフセット印刷の工程、特にトナーオフセット印刷の工程は、完全には解決されていない。特に、シートにプリントするための液体トナーを用いるとき、３つの異なる状況が従来技術において知られている。
【０００５】
１）紙やＴｅｓｌｉｎ（二酸化ケイ素と混合されたポリエチレン）などの所定のシート材料に対しては良好である。しかし、これらの材料に固定することは、たいてい第３の基板への画像の転写がうまくいかない程度に良好である。
【０００６】
２）多くの材料への転写は、それ自体ではかなり困難である。例えば、メタクリル酸を備えたエチレンの共重合体に基づいている液体トナーによる、トナー粒子が剥き出しのポリエステルもしくはポリプロプレンなどの多くのプラスチックへのプリントは、困難もしくは不可能である。
【０００７】
３）液体トナーのプリントを改善するためのプラスチックの処理が知られている。しかし、このような処理は、表面処理、すなわちコーティングの性質を帯びており、一般的に、前記シートからの転写がうまくいかない程度に、前記基板への像の良好な固定をもたらす。
【０００８】
上記３つの工程は、ほとんど完全ではなく、例えば、インクもしくはトナーの一部が前記シートから基板に転写することが多いということを理解すべきである。しかし、画像は、完全には転写されない。すなわち、画像は引き裂かれて、画像の一部が前記シートに残る。
【０００９】
プラスチックシートに少なくとも液体トナーで退色なくプリントするための例示的なシステムは、ＷＯ９９／１９７７３に記載されており、この文献の開示は参照によって本明細書に組み込まれている。この引用文献は、とりわけ２層によるプラスチックシートのコーティングを開示している。前記シートに近い側の層は、プラスチックシートに密接に接着されているが、一般的には、トナーとの弱い接着力、並びに／もしくは低い親和性を有する。上側の層は、下側の層とトナーとの両方によく接着する。
【００１０】
【課題を解決するための手段】
本発明のいくつかの態様は、最終基面への画像の一連の転写のための転写シートへの画像のプリントに関連している。
【００１１】
本発明のいくつかの態様において、画像は、例えば、液体トナー画像などのトナー画像である。所定の画像において、転写工程及び中間の転写部材は、前期画像が少なくとも３回転写されるように用いられる。第１の転写工程は、中間の転写部材への画像の転写を有する。この第１の転写工程は、電気的に、並びに／もしくは、熱並びに／もしくは所定の圧力によって、補助される、もしくは作用する。第２の転写工程は、転写シートへの画像の転写を有する。本発明の例示的な態様において、トナー画像転写、特に液体トナー転写に適しているので、第２の転写は温度的である、すなわち熱及び圧力による。他の態様においては、静電気力によって作用され得る、もしくは補助され得る。
【００１２】
前記第２の転写工程の最中には、前記中間の転写部材に対する画像の親和性とシートに対する画像の親和性との間の力のバランスがあることが理解される。また、前記シートのコーティングが全工程で補助するように用いられるときは、前記シートへのコーティングの（不完全な）接着性も心に留めておかなければならない。このような接着性は、最終基面への転写を可能とするのに十分なほど低いとともに、前記シートへのプリント中に、表面に移される画像への転写が生じないほど十分に高い。これは、熱及び圧力とが第２の転写工程に用いられている所に特に問題をはらんでいる。
【００１３】
第３の転写工程は、画像が、好ましくは前記シートの下層コーティングとともに、最終基面に転写される工程である。
【００１４】
この工程に固有の矛盾は、明らかである。第２の転写中に、熱及び圧力は、前記シートへ画像を転写するように用いられている。これは、トナーの接着が、（下に重なっている前記シートのコーティングの粘着性とともに、）前記中間の転写部材への接着より強力であるということを示唆している。第３の転写中、熱及び圧力は、好ましくは、コーティングとともに、シートから画像へ転写するように再び用いられる。これは、前記シートのコーティングに用いられる材料に実質的に限定がある。
【００１５】
本発明のいくつかの態様において、本発明の以下の態様に係る転写シートが用いられる。
【００１６】
本発明のいくつかの態様は、画像が転写シートに転写されて固定され得るが、熱及び圧力によって最終基面に転写可能であるように、この転写シートの処理に関係される。
【００１７】
本発明のいくつかの態様において、画像は、例えば液体トナー画像などのトナー画像である。いくつかの態様において、前記転写工程は静電気的な転写を含み、この転写工程によって、前記画像がシートに転写される。
【００１８】
一般的に、前記シートは、プラスチックであるか、プラスチックの表面コーティングを有する。一般的に、紙からの画像の“明確な”転写を達成することはできない。本発明のいくつかの態様において、前記処理は、前記シートにコーティングによってコーティングすることを含んでいるが、このコーティングは、前記トナーに対しては良好な親和性を有しているが、下に重なっている転写シートに対して中程度の親和性しか有していない。好ましくは、前記コーティングは、しばしば不連続的である画像とともに最終基面にはっきり転写するように、高い接着性を有する。また、前記コーティングは、前記シートへの画像のプリント中、このシートに接着されたままであるように、このシートに対して十分高い親和性を有する。
【００１９】
前記コーティングは、単一の層を有する。本発明のいくつかの態様において、コーティングは、トナーがプリントされた外層と、前記シートの表面に取着された下層とを備えた少なくとも２つの層を有する。この２層構造は、コーティングの２つの機能、すなわち転写シートへのプリント中のトナーの接着性と、このシートからの画像の転写中のトナーの離れ（好ましくは、少なくとも部分的なコーティングを含む）とのために、材料の選択に関する広い範囲を許容している。また、いくつかの場合には、前記下側の層は、上側の層が中間の転写部材に対する面の所定の位置で接着する場合、この接着が、接着点からこの上側の層を引っ張るように作用するか、最低でも、この上側の層に生じるあらゆる裂けの伝播を阻止するように、前記下側の層の接着性を低減させる。
【００２０】
本発明のいくつかの態様において、第１と第２のコーティング層が、両方、前記画像と共に、前記最終基面に転写される。これら態様において、前記上側の層と下側の層との間の接着は、基板に対する下側の層の接着より強い。代わって、本発明のいくつかの態様において、前記下側の層は、最終基面には転写されない。しかし、上側の層は転写される。
【００２１】
本発明のいくつかの態様において、前記最終基面は、プライマー層でコーティングされている。一般的に、前記第２のコーティング層の材料は、基板として使用するのに適している。すべての例に対して下塗りするのに適していると思われる１つのプライマーは、Ｍａｃｒｏｍｅｌｔ６２３９（Ｈｅｎｋｅｌ　Ｃｏｒｐｏｒａｔｉｏｎ）などのアミンを末端基とするポリアミンである。
【００２２】
かくして、本発明の一態様に係り、熱と圧力とによって最終基面への転写のための画像を有する転写シートを製造する方法であって、
転写シートを供給し、
画像を形成し、そして、
熱と圧力とを用いて前記転写シートへ画像を転写すること
を具備する方法が提供される。
【００２３】
また、熱と圧力とによって最終基面への転写のための画像を有する転写シートを製造する方法であって、
転写シートを供給し、
液体トナー画像を形成し、そして、
前記転写シートに前記画像を転写すること
を具備する方法が提供される。
【００２４】
本発明の一態様において、前記画像を転写することは、
熱と圧力とを用いて前記転写シートに画像を転写すること
を有する。
【００２５】
好ましくは、前記画像を形成することは、
静電気的工程を用いて画像を形成することを有する。
【００２６】
好ましくは、前記画像を形成することは、
マルチカラー画像を形成することを有する。本発明の一態様において、前記マルチカラー画像を形成することは、
連続したカラーセパレーションを形成し、
中間の転写部材に順次このセパレーションを転写すること
を有する。
【００２７】
本発明の一態様において、前記転写シートへ画像を転写することは、
前記中間の転写部材から前記転写シートへ、一まとめとしてセパレーションを転写することを有する。代わって、前記転写シートへ画像を転写することは、
前記中間の転写部材から前記転写シートへ、順次セパレーションを転写することを有する。
【００２８】
本発明の例示的な一態様において、前記転写シートは、
基板と、
特に熱のもとで、この基板に対する比較的弱い親和性を有する基板の下層と、　この下層に対する強い親和性を有する上層と
を有する。
【００２９】
本発明の例示的な一態様において、前記シートへの画像の転写中、前記下層は、画像が転写される面に対して上層が有する親和性より高い前記基板に対する親和性を有する。
【００３０】
また、本発明の例示的な態様に係り、プラスチック材料からなるシートと、
ポリビニルピリジン、ビニルピリジンの共重合体、並びにスチレンとポリエチレンメタクリル酸の共重合体からなるグループから選択されたポリマーを備えた下層を有する前記シートのコーティングと、
上層と
を具備する熱転写シートが提供される。
【００３１】
また、本発明の例示的な態様に係り、プラスチック材料からなるシートと、
下層と、アミンを末端基とするポリアミド（ａｍｉｎｅ−ｔｅｒｍｉｎａｔｅｄ　ｐｏｌｙａｍｉｄｅ）及びポリエチレンイミンからなるグループから選択されるポリマーを備えた上層とを有する前記シートのコーティングと
を具備する熱転写シートが提供される。
【００３２】
本発明の例示的な態様において、前記下層は、ポリビニルピリジン、ビニルピリジンの共重合体、並びにスチレンとポリエチレンメタクリル酸の共重合体からなるグループから選択されたポリマーを有する。
【００３３】
本発明の例示的な態様において、前記上層は、アミンを末端基とするポリアミドを有する。好ましくは、前記上層は、約３％以上の重量の二酸化ケイ素を有する。代わって、前記二酸化ケイ素は、約２％と１０％との間の重量で提供される。好ましくは、前記二酸化ケイ素は、約５％以上の重量で提供される。例示的な態様において、前記上層は、ポリエチレンイミンを有する。
【００３４】
本発明の例示的な態様において、前記上層は、約１０ｍｇ／ｍ２以上の単位面積あたりの重さを有する。代わって、もしくは追加的に、前記上層は、約３０００ｍｇ／ｍ２以下の単位面積あたりの重さを有する。本発明のいくつかの態様において、前記上層は、約２０ないし３００ｍｇ／ｍ２の間の単位面積あたりの重さを有する。
【００３５】
本発明の例示的な態様において、前記下層は、線状のポリビニルピリジンを有する。本発明のいくつかの態様において、前記ポリビニルピリジンは、約４０，０００と２００，０００との間の分子量を有する。
【００３６】
本発明の別の態様では、前記下層は、ビニルピリジンとスチレンとの共重合体を有する。例示的な態様において、前記ビニルピリジンとスチレンとの共重合体は、６０，０００と１００，０００との間の分子量を有する。
【００３７】
代わって、前記下層は、１０，０００と５００，０００との間の分子量を有する。
【００３８】
本発明の別の態様において、前記下層は、ポリエチレンメタクリル酸の共重合体を有する。本発明の一態様において、前記下層は、約２％と１０％との間の二酸化ケイ素を有する。
【００３９】
本発明の例示的な態様において、前記下層は、約１００ｍｇ／ｍ２以上の単位面積あたりの重さを有する。代わって、もしくは追加的に、前記下層は、約３０００ｍｇ／ｍ２以下の単位面積あたりの重さを有する。本発明のいくつかの態様において、前記下層は、約３００ｍｇ／ｍ２と６００ｍｇ／ｍ２との間の重さを有する。
【００４０】
本発明の例示的な態様において、前記上層に形成された画像をさらに具備する。本発明の例示的な態様において、前記画像は、トナー画像である。本発明のいくつかの態様において、前記画像は、液体トナー画像である。
【００４１】
【発明の実施の形態】
コロナ処理されたポリエステル（ＰＥＴ）とコロナ処理されていないＰＥＴにプリントするために、好結果を得た実験が行われた。２つの異なる外層と関連して、７つの異なる下層がテストされた。すべての組み合わせがテストされておらず、また、すべてのテストされた組み合わせが、満足する結果を得たわけではない。
【００４２】
以下に記載された実験において、第１及び第２の転写工程は、インディゴオムニアス（Ｉｎｄｉｇｏ　Ｏｍｕｎｉｕｓ（登録商標））とタイプ３．１エレクトロインク（Ｔｙｐｅ　３．１　ＥｌｅｃｔｒｏＩｎｋ（登録商標））とを用いて達成された。このトナーは、主にポリエチレンとメタクリル酸との共重合体（ＤｕＰｏｎｔ社のＮｕｃｒｅｌ　６９９）に基づく粒子を含んでいる。複数のカラー画像が、光受容体に連続して形成され、中間の転写部材とアライメントされて転写される。これら画像は、熱（約１３０℃）と圧力（約３ａｔｍ）とによって、前記転写部材からシートに転写される。処理を容易にするために、プラスチックシートは、紙の基板に接着されている。他の温度及び圧力が、このような工程に用いられてもよい。前記中間の転写部材は、好ましくは、前記トナーがシリコーンなどの比較的低粘性を有する物質によってコーティングされている。本実施の形態において、第２と第３の転写の間の温度差は、約２０ないし３５℃である。しかし、もっと高い温度差、及びもっと低い温度差が用いられてもよい。また、トナーに対する前記中間の転写部材の接着性と上塗りとが減じられると、前記温度差は小さくなる。表１は、前記外層がアミンを末端基とするポリアミド（ａｍｉｎｅ−ｔｅｒｍｉｎａｔｅｄ　ｐｏｌｙａｍｉｄｅ）である２層コーティング系の４つのシート材料に対する転写結果の表である。前記下層は、この表に示されているように、線状ポリビニルピリジンとポリビニルコスチレン（ｐｏｌｙｖｉｎｙｌ　ｃｏ−ｓｔｙｒｅｎｅ）共重合体とのどちらかである。どちらの層も、約０．３ｇｍ／ｍ２であった。
【００４３】
最終基面は、アミンを末端基とするポリアミドでコーティングされた繊維であった。転写は、１３０℃で所定の圧力において効果があった。前記コーティング材料は、すべてＳｃｉｅｎｔｉｆｉｃ　Ｐｏｌｙｍｅｒ　Ｐｒｏｄｕｃｔｓ，Ｉｎｃ．Ｏｎｔａｒｉｏ，Ｎ．Ｙ．によって供給された。
【００４４】
【表１】
2004503805.tif 000002
前記画像は、熱ラミネーター（Ｔａｌｂｏｙ’ｓ　Ｅｎｇｉｎｅｅｒｉｎｇ　Ｃｏｒｐ．，Ｓｅｒ　２０７２）を用いて前記最終の基板に転写された。このラミネーターは、３ａｔｍの圧力と１４０℃の温度で作動された。このラミネーターの上側のローラーは弾性的であり、ステンレススチールを研磨したロールに対して作用した。
【００４５】
すべての場合に対して、基板にプリントすることは良好であった。転写に関して、５は、結果が良かったことを意味し、４は、結果が申し分なく受け入れられることを意味し、３は、小さいトレースが転写シートに残ったことを意味し、２は、小さい領域が残ったことを意味し、１は、かなりの領域が残ったことを意味し、また、０は、転写不足を表す。
【００４６】
追加の実験は、以下の結果となる未処理ＰＥＴでの他の下塗りと上塗りとによって実行された。
【００４７】
【表２】
2004503805.tif 000003
エアロシル（Ａｅｒｏｓｉｌ）Ｒ９７２ｈａ，Ｄｅｇｕｓｓａにより製造されたナノメートルサイズの二酸化ケイ素の商品名である。用いられているポリエチレンメタクリル酸の共重合体（水中では乳濁液）は、ミッシェルマン（Ｍｉｃｈｅｌｍａｎ）４９９０であった。出願人は、このような材料の使用が、前記層の接着性をより良く制御することに気づいた。コーティングは、ワイヤロッドコーティングやグラビアコーティングなどの従来技術で公知のいかなる方法によっても適用され得る。グラビアコーティングは、プラスチック製の基板の長いロールがコーティングされるときに適している。
【００４８】
第３の転写は、１３０℃の温度及び３ａｔｍの圧力でポリエチレンの管状材料に対してなされる。
【００４９】
広く言えば、例えば１００ないし２０００ｍｇ／ｍ２などの高い及び低い重量が用いられ得るが、一般的に下塗りは、３００ｍｇ／ｍ２と６００ｍｇ／ｍ２との間の重量を有する。広く言えば、例えば１０ないし３０００ｍｇ／ｍ２の高い及び低い重量が用いられ得るが、一般的に上塗りは、２０ｍｇ／ｍ２と３００ｍｇ／ｍ２との間の重量を有する。
【００５０】
また、単一層のコーティングだけを用いてプリントする試みがなされた。しかし、処理されていないＰＥＴ製の基板を線状（ｍｗ４００００）コーティングするポリビニルピリジン（２）への直接のプリントは、良好な結果を得た。他の下塗り／ＰＥＴの組み合わせは、基板をコーティングする２つの層の結果とほぼ比較可能な結果を得た。ＢＯＰＰ（Ｓｔｉｌａｎ　Ｂｉｍｏ，Ｉｔａｌｙからの２軸方向に向いたポリプロピレン）とＰＰＰｅａｒｌ（Ｈｏｅｃｈｓｔ，Ｇｅｒｍａｎｙからのポリプロピレンパール）とにする場合、可視的結果は、特別な層と状態とに応じて達成される。
【００５１】
本発明は、所定の実施例に関して記載されている。しかし、これら実施例は、本明細書中に記載され、請求の範囲で規定されている発明の概念の補助として提供されている。かくして、本発明のよりできる限り広い態様は、本明細書中に記載されている特定の実施例によって限定されない。例えば、特定の重量、分子量などの例において用いられている場合、本発明の手段は、前記広範囲のパラメータを含み、また、これらパラメータは、本発明の実施において有用であると考えられる。前記広範囲のパラメータは、特定の環境下で有用である。
【００５２】
本明細書及び請求の範囲に用いられているように、「具備する」、「含む」、並びに「有する」という用語と、これらの関連部は、「必ずしも限定されないが、含んでいる」ということを意味する。
【国際公開パンフレット】
2004503805.tif 000004
2004503805.tif 000005
2004503805.tif 000006
2004503805.tif 000007
2004503805.tif 000008
2004503805.tif 000009
2004503805.tif 000010
2004503805.tif 000011
2004503805.tif 000012
2004503805.tif 000013
2004503805.tif 000014
2004503805.tif 000015
2004503805.tif 000016
2004503805.tif 000017
2004503805.tif 000018
【国際調査報告】
2004503805.tif 000019
2004503805.tif 000020
2004503805.tif 000021
2004503805.tif 000022